(57)【要約】【課題】高周波ノイズの問題を解消しつつも高い力率のＬＥＤ電源を提供する。【解決手段】磁気回路式ＬＥＤ電源（１）は、交流電源（ＡＣ）が入力される昇圧型の磁気漏れ変圧器（１１、１４）を含む磁気式安定器部（１０）と、磁気式安定器部（１０）の出力を整流するダイオードブリッジ（２０）と、ＬＥＤ（２ａ）に並列に接続され、ダイオードブリッジ（２０）の整流出力を平滑する平滑コンデンサ（３０）とを備える。【選択図】  図１
2015069870.tif 000002
【特許請求の範囲】
【請求項１】
ＬＥＤに出力電力を供給する磁気回路式ＬＥＤ電源であって、
交流電源が入力される昇圧型の磁気漏れ変圧器を含む磁気式安定器部と、
前記磁気式安定器部の出力を整流するダイオードブリッジと、
前記ＬＥＤに並列に接続され、前記ダイオードブリッジの整流出力を平滑する平滑コンデンサと
を備えた磁気回路式ＬＥＤ電源。
【請求項２】
請求項１に記載の磁気回路式ＬＥＤ電源であって、
前記磁気漏れ変圧器が１次コイル、２次コイル及び３次コイルを有する昇圧トランスからなり、前記１次コイルの一端が前記交流電源の一端に接続され、前記１次コイルの他端が前記２次コイルの一端及び前記３次コイルの一端に接続され、前記２次コイルの他端が前記交流電源の他端及び前記ダイオードブリッジの一方の入力端子に接続され、
前記磁気式安定器部が、前記３次コイルの他端と前記ダイオードブリッジの他方の入力端子の間に挿入されたコンデンサをさらに備えた磁気回路式ＬＥＤ電源。
【請求項３】
請求項１に記載の磁気回路式ＬＥＤ電源であって、
前記磁気漏れ変圧器が１次コイル及び２次コイルを有する昇圧トランスからなり、前記１次コイルの一端及び前記２次コイルの一端が前記交流電源の一端に接続され、前記１次コイルの他端が前記交流電源の他端及び前記ダイオードブリッジの一方の入力端子に接続され、前記２次コイルの他端が前記ダイオードブリッジの他方の入力端子に接続された磁気回路式ＬＥＤ電源。
【請求項４】
ＬＥＤに出力電力を供給する磁気回路式ＬＥＤ電源であって、
交流電源からの入力経路に挿入されるチョークコイル、及び前記交流電源に並列接続されるコンデンサを有する磁気式安定器部と、
前記磁気式安定器部の出力を整流するダイオードブリッジと、
前記ＬＥＤに並列接続され、前記ダイオードブリッジの整流出力を平滑する平滑コンデンサと
を備えた磁気回路式ＬＥＤ電源。
【請求項５】
請求項１から４のいずれか一項に記載の磁気回路式ＬＥＤ電源において、前記磁気式安定器部がＨＩＤランプを点灯可能に構成されている、磁気回路式ＬＥＤ電源。
【請求項６】
請求項１から５のいずれか一項に記載の磁気回路式ＬＥＤ電源と、
直列接続された複数のＬＥＤを含み、前記磁気回路式ＬＥＤ電源から配線を介して給電されるＬＥＤユニットと
を備えるＬＥＤ照明装置。
【発明の詳細な説明】
【技術分野】
【０００１】
本発明は磁気回路式ＬＥＤ電源及びそれを用いたＬＥＤ照明装置に関する。
【背景技術】
【０００２】
近年、ＬＥＤ点灯用の電源として、ＡＣ−ＤＣコンバータ、ＤＣ−ＤＣコンバータ等によって直流電流を生成するスイッチング電源が普及している。しかし、スイッチング電源は、そのスイッチング動作に起因して特にＭＨｚ帯よりも高い周波数帯の高周波ノイズを多く発生させる。そのため、スイッチング電源を用いたＬＥＤ電源の使用に際して、無線を使用したＩＴ機器への影響、医療機器への影響が懸念される。
【０００３】
特許文献１は、スイッチング動作が行われない、いわゆる磁気式安定器（銅鉄安定器）を用いたＬＥＤ点灯回路を開示する。同文献の構成によると、磁気式安定器である蛍光灯安定器（３）を介して交流電源（ＡＣ）が整流器（１）に入力され、整流器の出力が、直列接続された複数のＬＥＤ（５）に印加される。そして、各ＬＥＤによる順方向降下電圧の総量が、蛍光灯安定器に適合するランプの点灯電圧に対応するように、ＬＥＤの設置数が調整される。
【先行技術文献】
【特許文献】
【０００４】
【特許文献１】特開２００９−２３８５７９号公報
【発明の概要】
【発明が解決しようとする課題】
【０００５】
しかし、特許文献１の構成によると、交流電圧の全波整流電圧が直接ＬＥＤ直列回路に印加される。従って、全波整流電圧の脈流における谷部では、その電圧がＬＥＤの順方向降下電圧ＶＦを下回るため、ＬＥＤは消灯する。すなわち、交流電圧の２倍の周波数でＬＥＤは点滅することになる。そのため、この点滅がユーザに視覚的な違和感を与えるだけでなく、力率の低下をもたらすことになり、電力管理上も好ましくない。
【０００６】
そこで、本発明は、高周波ノイズの問題を解消しつつも高い力率のＬＥＤ電源及びそれを用いたＬＥＤ照明装置を提供することを課題とする。
【課題を解決するための手段】
【０００７】
本発明による、ＬＥＤに出力電力を供給する磁気回路式ＬＥＤ電源は、交流電源が入力される昇圧型の磁気漏れ変圧器を含む磁気式安定器部と、磁気式安定器部の出力を整流するダイオードブリッジと、ＬＥＤに並列に接続され、ダイオードブリッジの整流出力を平滑する平滑コンデンサとを備える。
【０００８】
上記構成によると、磁気式安定器部の昇圧出力を整流したダイオードブリッジの整流出力が平滑コンデンサによって平滑されるので、整流平滑出力の谷部がＬＥＤの順方向降下電圧を下回る期間が減少又は消滅し、高い力率が得られる。また、磁気漏れ変圧器、ダイオードブリッジ、及び平滑コンデンサといった少ない部品点数の簡素な構成が採用されるので、高い力率を実現しつつも低コストで高い耐久性のＬＥＤ電源の実現が可能となる。
【０００９】
ここで、磁気漏れ変圧器が１次コイル、２次コイル及び３次コイルを有する昇圧トランスからなり、１次コイルの一端が交流電源の一端に接続され、１次コイルの他端が２次コイルの一端及び３次コイルの一端に接続され、２次コイルの他端が交流電源の他端及びダイオードブリッジの一方の入力端子に接続され、磁気式安定器部が、３次コイルの他端とダイオードブリッジの他方の入力端子の間に挿入されたコンデンサをさらに備える構成とすることができる。
【００１０】
上記構成によると、磁気式安定器部において昇圧トランス及びコンデンサのＬＣ共振回路が構成されるので、ＬＣ共振回路の共振周波数を適宜設定することにより更なる力率の向上が可能となる。また、力率がＬＥＤの合計順方向降下電圧に依存し難いので、高い合計順方向電圧のＬＥＤに対応したＬＥＤ電源を構成できる。すなわち、多数のＬＥＤを直列接続することができるので電流損失を低減して消費電力を低減できる。またさらに、磁気式安定器部が上記ＬＣ共振回路によって構成されるので、出力特性（ＬＥＤ電力又はＬＥＤ照度）が電源高調波の影響及び電源電圧変動の影響を受け難く、電源電圧変動が比較的大きい工場内等においても安定した光出力が得られる。
【００１１】
また、磁気漏れ変圧器が１次コイル及び２次コイルを有する昇圧トランスからなり、１次コイルの一端及び２次コイルの一端が交流電源の一端に接続され、１次コイルの他端が交流電源の他端及びダイオードブリッジの一方の入力端子に接続され、２次コイルの他端がダイオードブリッジの他方の入力端子に接続される構成としてもよい。
【００１２】
上記構成によると、磁気式安定器部が昇圧トランスだけで構成されるので、高い力率を実現しつつも更なる低コスト化が可能となる。また、この構成においても力率がＬＥＤの合計順方向降下電圧に依存し難いので、高い合計順方向電圧のＬＥＤに対応したＬＥＤ電源を構成できる。すなわち、複数のＬＥＤを直列接続することができるので電流損失を低減して高効率化を実現できる。
【００１３】
本発明による、ＬＥＤに出力電力を供給する磁気回路式ＬＥＤ電源は、交流電源からの入力経路に挿入されるチョークコイル及び交流電源に並列接続されるコンデンサを有する磁気式安定器部と、磁気式安定器部の出力を整流するダイオードブリッジと、ＬＥＤに並列接続され、ダイオードブリッジの整流出力を平滑する平滑コンデンサとを備える。
【００１４】
上記構成によると、磁気式安定器部の出力を整流したダイオードブリッジの整流出力が平滑コンデンサによって平滑化されるので、整流平滑出力の谷部がＬＥＤの順方向降下電圧を下回る期間が減少又は消滅し、高い力率が得られる。また、チョークコイル、コンデンサ、ダイオードブリッジ、及び平滑コンデンサといった少ない部品点数の簡素な構成が採用され、特に磁気式安定器部がトランスを有しないので、高い力率を実現しつつも低コストで高い耐久性のＬＥＤ電源の実現が可能となる。
【００１５】
上記の各磁気回路式ＬＥＤ電源において、磁気式安定器部はＨＩＤランプを点灯可能に構成されているものであることが好ましい。これにより、既存のＨＩＤランプ用の磁気式安定器の構成を用いて磁気式安定器部を構成することができる。従って、ＬＥＤ電源の開発コストが削減されるとともに、既存製品の活用により資源の有効利用が可能となる。
【００１６】
本発明のＬＥＤ照明装置は、上記のいずれかの磁気回路式ＬＥＤ電源と、直列接続された複数のＬＥＤを含むとともに磁気回路式ＬＥＤ電源から配線を介して給電されるＬＥＤユニットとを備える。これにより、低ノイズでかつ高力率なＬＥＤ照明装置を実現することができる。また、この低ノイズ性により、ＬＥＤ電源からＬＥＤユニットまでの配線を長くすることができ、ＬＥＤユニットをＬＥＤ電源から離れた場所に設置することが容易となる等、高い力率を実現しつつもＬＥＤ電源又はＬＥＤユニットにおける高い設置自由度が得られる。
【図面の簡単な説明】
【００１７】
【図１】本発明の第１の実施形態による磁気回路式ＬＥＤ電源を含むＬＥＤ照明装置を示す回路構成図である。
【図２】図１の等価回路を示す図である。
【図３】第１の実施形態による磁気回路式ＬＥＤ電源の昇圧トランスを示す模式図である。
【図４】第１の実施形態による磁気回路式ＬＥＤ電源を説明する図である。
【図５】第１の実施形態による磁気回路式ＬＥＤ電源を説明する図である。
【図６】本発明の第２の実施形態による磁気回路式ＬＥＤ電源を含むＬＥＤ照明装置を示す回路構成図である。
【図７】本発明の第３の実施形態による磁気回路式ＬＥＤ電源を含むＬＥＤ照明装置を示す回路構成図である。
【発明を実施するための形態】
【００１８】
以下に、図面を参照して本発明の実施形態による磁気回路式ＬＥＤ電源（以下、「ＬＥＤ電源」という）及びＬＥＤ照明装置を説明する。各図において、同一の符号が付された構成要素は、特に説明がない限り、実質的に同一の構成要素を示すものとし、重複する説明を省略する。なお、本明細書において、磁気式安定器又は磁気回路式電源とは、一般に銅鉄式安定器又は銅鉄安定器ともいわれる電源のことをいうものとする。
【００１９】
実施形態１．
図１に本発明の第１の実施形態によるＬＥＤ電源１を含むＬＥＤ照明装置３を示す。ＬＥＤ照明装置３はＬＥＤ電源１及びＬＥＤユニット２からなる。ＬＥＤ電源１の入力端子Ｔ１及びＴ２には交流電源ＡＣ（例えば、商用電源）が接続される。ＬＥＤユニット２は、ＬＥＤ電源１の出力端子Ｔ３及びＴ４から配線Ｗ１及びＷ２を介して直列接続された複数のＬＥＤ２ａを含む。
【００２０】
ＬＥＤ電源１は、磁気式安定器部１０、ダイオードブリッジ２０、平滑コンデンサ３００、及び抵抗３１を備え、これらは金属製の筐体に内包される。磁気式安定器部１０は、昇圧型の磁気漏れ変圧器１１、力率改善用のコンデンサ１２、及び抵抗１３を含む。なお、磁気漏れ変圧器１１の入力段に電流ヒューズ、温度ヒューズ等が適宜挿入されていてもよい。
【００２１】
磁気漏れ変圧器１１は昇圧トランスからなり（以下、「昇圧トランス１１」ともいう）、１次コイルＰ１、２次コイルＳ１及び３次コイルＳ２を有する。１次コイルＰ１の一端ｐ１が交流電源ＡＣの一端（入力端子Ｔ１）に接続され、１次コイルＰ１の他端ｐ０が２次コイルＳ１及び３次コイルの共通の一端ｓ１に接続される。２次コイルＳ１の他端ｓ０は交流電源ＡＣの他端（入力端子Ｔ２）及びダイオードブリッジ２０の一方の入力端子に接続される。３次コイルＳ２の他端ｓ２がコンデンサ１２を介してダイオードブリッジ２０の他方の入力端子の間に接続される。コンデンサ１２には抵抗１３が並列接続される。
【００２２】
なお、本明細書において、ある回路要素が交流電源ＡＣに接続される、とは、交流電源ＡＣからの給電が実質的に非常に低いインピーダンスを介してその回路要素に給電されることをいうものとする。従って、ある回路要素が電流ヒューズ、低抵抗素子等を介して交流電源ＡＣから給電を受ける場合も、当該回路要素は交流電源ＡＣに接続される、ということができる。
【００２３】
なお、図２に図１の等価回路を示すように、昇圧トランス１１はコイルＬ及びトランスＴからなる回路とみることができる。すなわち、コイルＬの一端ｐ１が交流電源ＡＣの一端（入力端子Ｔ１）に接続され、コイルＬの他端ｐ０がトランスＴの２つの巻線の共通入力端ｓ１に接続される。トランスＴの一方の出力端ｓ０は交流電源ＡＣの他端（入力端子Ｔ２）及びダイオードブリッジ２０の一方の入力端子に接続され、他方の出力端ｓ２がコンデンサ１２を介してダイオードブリッジ２０の他方の入力端子の間に接続される。
【００２４】
図３に図１の昇圧トランス１１の模式図を示す。なお、図において、昇圧トランス１１は上下対称であるものとする。昇圧トランス１１は鉄心１１１、１次コイルＰ１、２次コイルＳ１、３次コイルＳ２、及び鉄ケース１１２を備える。鉄心１１１はケイ素鋼板を積層して形成され、各コイルは、例えば、ホルマール線（絶縁銅線）からなる。鉄心１１１と鉄ケース１１２の間には巻線用空間１１３及び１１４が設けられる。巻線用空間１１３において、鉄心１１１に１次コイルＰ１が巻回され、巻線用空間１１４において、鉄心１１１に２次コイルＳ１及び３次コイルＳ２が巻回される。そして、巻線用空間１１３と巻線用空間１１４の間の部分において、鉄心１１１と鉄ケース１１２の間にはギャップＧが設けられる。
【００２５】
コンデンサ１２は、例えば、絶縁性ポリプロピレンフィルム又はメタライズドポリエステルフィルムのコンデンサからなる。コンデンサ１２に並列接続された抵抗１３は、交流電源ＡＣがオフされた後のコンデンサ１２の残電圧を放電する。
【００２６】
昇圧トランス１１とコンデンサ１２によってＬＣ共振回路が形成される。このＬＣ共振回路において、昇圧トランス１１のインダクタ成分によって遅れる電流位相をコンデンサ１２によって進ませることができる。すなわち、昇圧トランス１１のインダクタンスとコンデンサ１２の容量によって決まる共振周波数を、交流電源ＡＣの周波数に対して調整することによって、入力電流を進相にして高い力率を得ることができる。
【００２７】
ダイオードブリッジ２０は磁気式安定器部１０の昇圧出力を整流し、平滑コンデンサ３０は整流出力を平滑する。すなわち、整流平滑された出力電圧及び出力電流がＬＥＤ２ａに供給される。抵抗３１は、交流電源ＡＣがオフされた後の平滑コンデンサ３０の残電圧を放電するために設けられる。
【００２８】
本実施形態の一設計例は以下の通りである。交流電源ＡＣは２００Ｖａｃ、５０Ｈｚであり、ＬＥＤ２ａの合計順方向降下電圧ＶＦは１０２Ｖであり、ＬＥＤ電力は８７．５Ｗである。昇圧トランス１１の１次コイルＰ１、２次コイルＳ１、及び３次コイルＳ２はそれぞれ５７４ターン、３１８ターン、及び９５５ターンであり、ギャップＧは０．９５ｍｍである。コンデンサ１２は絶縁性ポリプロピレンフィルムのコンデンサからなり、その容量は１３μＦ（耐圧２８０Ｖ）である。平滑コンデンサ３０の容量は８００μＦ（耐圧２００Ｖ）である。この構成において、力率は約９８．５％となる。抵抗１３及び抵抗３１の抵抗値はそれぞれ数１０ｋ〜数１００ｋΩ程度であればよい。なお、本発明はこれらの数値に限定されるものではない。
【００２９】
図４に、ＬＥＤ電源１の出力電圧（ＬＥＤ電圧）と出力電流（ＬＥＤ電流）の関係を示す。出力電圧が比較的低い領域Ｒ１においては、図３における矢印Ａで示すように、昇圧トランス１１内の磁束は巻線用空間１２及び１３を囲むように発生する。出力電圧が中間的な領域Ｒ２においては、出力電圧の増加に対して、図３における矢印Ｂで示すようなギャップＧを通る磁束の比率が増加していく。出力電圧が比較的高い領域Ｒ３においては、上記の矢印Ｂで示す磁束が支配的となる。これにより、領域Ｒ１〜領域Ｒ２では出力電圧の増加に対して出力電流の減少が緩やかなのに対し、領域Ｒ３では出力電圧の増加に対して出力電流の減少が急峻となる。
【００３０】
図５に、ＬＥＤ電源１の出力電圧と出力電力の関係を示す。この出力電力は図４に示す出力電圧と出力電流を乗算したものである。図５に示すように、領域Ｒ１〜領域Ｒ２に対応する電圧領域では出力電圧の増加に対して出力電力も増加するが、領域Ｒ３に対応する電圧領域では、上述したギャップＧを通る磁束（矢印Ｂ）が支配的となり、さらに出力電圧が増加すると出力電力は増加から減少に転じる。これにより、出力電圧の増加に対して出力電力が比較的平坦になる、いわゆる定電力区間が生ずる。本実施形態では、この定電力区間においてＬＥＤ電源１が動作するように設計されているものとする。これにより、ＬＥＤ電源１は、比較的広い範囲のＬＥＤ２ａの合計順方向降下電圧ＶＦについて定電力出力を行うことができる。
【００３１】
以上に説明した本実施形態によると、以下の有利な効果が得られる。
（１ａ）高力率
昇圧トランス１１による昇圧出力がダイオードブリッジ２０によって整流され、整流出力が平滑コンデンサ３０によって平滑化されるので、整流平滑出力の谷部がＬＥＤ２ａの順方向降下電圧を下回る期間が減少又は消滅し、高い力率が得られる。また、磁気式安定器部１０において昇圧トランス１１及びコンデンサ１２のＬＣ共振回路が構成されるので、ＬＣ共振回路の共振周波数を適宜設定することにより更なる力率の向上が可能となる。
【００３２】
（２ａ）低コスト
昇圧トランス１１、コンデンサ１２、ダイオードブリッジ２０、平滑コンデンサ３０等の比較的少ない部品点数でかつ簡素な構成でＬＥＤ電源１が構成される。従って、高い力率を実現しつつも低コストなＬＥＤ電源が実現される。
【００３３】
（３）低損失
磁気式安定器部１０の昇圧構成によって、整流平滑出力がＬＥＤ２ａの合計順方向降下電圧を超える期間を長くすることができるため、力率がＬＥＤ２ａの合計順方向降下電圧に依存し難い。言い換えると、高い合計順方向降下電圧のＬＥＤユニット２にも対応したＬＥＤ電源を提供することができ、高い力率を実現しつつもＬＥＤユニット２における高い設計自由度が得られる。従って、多数のＬＥＤ２ａを並列ではなく直列に接続することができるので、ＬＥＤ２ａの接続数が多い場合であっても電流損失を低減してＬＥＤ電源の高効率化を実現できる。
【００３４】
（４）高い設置自由度
スイッチング電源ではなく磁気漏れ変圧器を用いてＬＥＤ電源１が構成されるので、高周波ノイズが発生しない。従って、配線Ｗ１及びＷ２からの輻射ノイズが発生することがないため、配線Ｗ１及びＷ２をより長くすることができる。これにより、ＬＥＤユニット２をＬＥＤ電源１から離れた場所に設置することが容易となる等、高い力率を実現しつつもＬＥＤ電源１又はＬＥＤユニット２における高い設置自由度が得られる。
【００３５】
（５）高い耐久性
ＬＥＤ電源１を構成する半導体がダイオードブリッジ２０だけであるので、雷サージ等の外来ノイズに対する故障、誤動作等が極めて少ないＬＥＤ電源を提供することができる。このように、高い力率を実現しつつも高い耐久性のＬＥＤ電源が実現される。
【００３６】
（６）電源からの影響の軽減
磁気式安定器部１０が昇圧トランス１１及びコンデンサ１２のＬＣ共振回路によって構成されるので、出力特性（ＬＥＤ電力又はＬＥＤ照度）が電源高調波の影響及び電源電圧変動の影響を受け難い。従って、電源電圧変動が比較的大きい工場内等においても安定した光出力が得られる。
【００３７】
実施形態２．
上記実施形態１においては、磁気漏れ変圧器が昇圧トランス及びコンデンサを含む構成を示したが、本実施形態では、磁気漏れ変圧器が昇圧トランスのみによって形成される構成を示す。
【００３８】
図６に本の実施形態によるＬＥＤ電源１を含むＬＥＤ照明装置３を示す。ＬＥＤ電源１は、磁気式安定器部１０、ダイオードブリッジ２０、平滑コンデンサ３０、及び抵抗３１を備え、これらは金属製の筐体に内包される。磁気式安定器部１０は昇圧型の磁気漏れ変圧器１４からなる。なお、磁気漏れ変圧器１４の入力段に電流ヒューズ、温度ヒューズ等が適宜挿入されていてもよい。
【００３９】
磁気漏れ変圧器１４は昇圧トランスであり（以下、「昇圧トランス１４」ともいう）、１次コイルＳ０及び２次コイルＳ１を有する。１次コイルＳ０及び２次コイルＳ１の共通の一端ｓ１が交流電源ＡＣの一端（入力端子Ｔ１）に接続される。１次コイルＳ０の他端ｓ０が交流電源ＡＣの他端（入力端子Ｔ２）及びダイオードブリッジ２０の一方の入力端子に接続され、２次コイルＳ１の他端ｓ２がダイオードブリッジ２０の他方の入力端子に接続される。
【００４０】
昇圧トランス１４は、実施形態１の昇圧トランス１１に比べて小さいインダクタ成分で構成される。従って、昇圧トランス１４のインダクタ成分による電流位相の遅れは小さく、実施形態１で示した力率改善用のコンデンサを省くことができる。
【００４１】
本実施形態によると、上記実施形態１における（３）低損失、（４）高い設置自由度、及び（５）高い耐久性の有利な効果とともに、さらに以下の有利な効果を得ることができる。
【００４２】
（１ｂ）高力率
昇圧トランス１４による昇圧出力がダイオードブリッジ２０によって整流され、整流出力が平滑コンデンサ３０によって平滑化されるので、整流平滑出力の谷部がＬＥＤ２ａの順方向降下電圧を下回る期間が減少又は消滅し、高い力率が得られる。
【００４３】
（２ｂ）低コスト
昇圧トランス１４、ダイオードブリッジ２０、平滑コンデンサ３０等の比較的少ない部品点数でかつ簡素な構成でＬＥＤ電源１が構成される。さらに、力率改善用のコンデンサが不要であるため、高い力率を実現しつつも更なる低コスト化が可能となる。
【００４４】
実施形態３．
上記実施形態１及び２においては、磁気式安定器部１０に磁気漏れ変圧器を用いる構成を示したが、本実施形態では、磁気式安定器部１０に電流制限用のチョークコイル及び力率改善用のコンデンサを含む構成を示す。
【００４５】
図７に本実施形態によるＬＥＤ電源１を含むＬＥＤ照明装置３を示す。ＬＥＤ電源１は、磁気式安定器部１０、ダイオードブリッジ２０、平滑コンデンサ３０、及び抵抗３１を備え、これらは金属製の筐体に内包される。磁気式安定器部１０は、電流制限用のチョークコイル１５、力率改善用のコンデンサ１６、及び抵抗１７を含む。なお、チョークコイル１５の前段（コンデンサ１６及び抵抗１７の前段又は後段）に電流ヒューズ、温度ヒューズ等が適宜挿入されていてもよい。
【００４６】
電流制限用のチョークコイル１５は交流電源ＡＣの一端（入力端子Ｔ１）とダイオードブリッジ２０の一方の入力端子の間、すなわち交流電流ＡＣからの入力経路に挿入される。コンデンサ１６は入力端子Ｔ１−Ｔ２に並列に、すなわち交流電源ＡＣに並列に接続される。本実施形態においてもコンデンサ１６は、例えば、絶縁性ポリプロピレンフィルム又はメタライズドポリエステルフィルムのコンデンサからなる。交流電源ＡＣからの入力電流の位相は、誘導性負荷となるチョークコイル１５によって遅れる一方で、容量性負荷となるコンデンサ１６によって進む。従って、コンデンサ１６の容量を適宜調整することによって入力電流を進相にすることができ、所望の力率を確保することができる。なお、コンデンサ１６に並列接続された抵抗１７は、交流電源ＡＣがオフされた後のコンデンサ１６の残電圧を放電する。
【００４７】
本実施形態によると、上記実施形態１における（４）高い設置自由度及び（５）高い耐久性の有利な効果とともに、さらに以下の有利な効果を得ることができる。
【００４８】
（１ｃ）高力率
磁気式安定器部１０が、入力端子Ｔ１−Ｔ２に並列接続された力率改善用のコンデンサ１６を有するので、コンデンサ１６の容量を適宜設定することにより更なる力率の向上が可能となる。
【００４９】
（２ｃ）低コスト
チョークコイル１５、コンデンサ１６、ダイオードブリッジ２０、平滑コンデンサ３０等の比較的少ない部品点数でかつ簡素な構成でＬＥＤ電源１が構成される。そして、磁気式安定器部１０においてトランスが不要であるので、さらに低コストなＬＥＤ電源が実現される。
【００５０】
なお、上記各実施例における磁気式安定器部１０は、水銀ランプ、メタルハライドランプ、高圧ナトリウムランプ等のＨＩＤランプ（高圧放電灯）の点灯用に構成されたものであってもよい。このように、既存のＨＩＤランプ用の磁気式安定器の構成を用いて磁気式安定器部１０を構成することによって、ＬＥＤ電源１の開発コストが削減されるとともに、既存製品の活用により資源の有効利用が可能となる。
【符号の説明】
【００５１】
１  磁気回路式ＬＥＤ電源
２  ＬＥＤユニット
２ａ  ＬＥＤ
３  ＬＥＤ照明装置
１０  磁気式安定器部
１１、１４  磁気漏れ変圧器（昇圧トランス）
１２、１６  コンデンサ
１５  チョークコイル
２０  ダイオードブリッジ
３０  平滑コンデンサ
Ｐ１、Ｓ０  １次コイル
Ｓ１  ２次コイル
Ｓ２  ３次コイル
Ｗ１、Ｗ２  配線
【図１】
2015069870.tif 000003
【図２】
2015069870.tif 000004
【図３】
2015069870.tif 000005
【図４】
2015069870.tif 000006
【図５】
2015069870.tif 000007
【図６】
2015069870.tif 000008
【図７】
2015069870.tif 000009